(57)【要約】【課題】表示パネルを有する表示装置において、電源ノイズの低減や重量バランスを考慮した電源基板の取り付け位置の調整が容易に行なえるようにする。【解決手段】基板支持手段（パネル補強部材７ａ、７ｂ、基板支持体１１ａ、１１ｂ、基板取り付け用ねじ孔１３、１３、・・）により、筐体１ａｂの前面側に位置する表示パネルの背面側に、少なくとも変圧器を搭載した電源基板１０を、該基板１０の配置する位置を変更可能に支持し、電源ノイズの低減や重量バランスを考慮して前記電源基板１０の配置を調整可能にする。【選択図】図５
2007065302.tif 000002
【特許請求の範囲】
【請求項１】
筐体の前面側に位置する表示パネルと、該表示パネルの背面側に位置し、少なくとも変圧器を搭載した基板を前記表示パネルと略平行に配置する表示装置において、該表示パネルの背面側で該基板の配置する位置を変更可能に支持する基板支持手段を備えたことを特徴とする表示装置。
【請求項２】
基板支持手段は、表示パネルの背面側において互いに略平行をなし、該表示パネルに対して略平行となる部分を有し、且つ該表示パネルの上下方向に延出して筐体と連結可能な連結部を備えた縦長１対のパネル補強部材と、該１対のパネル補強部材と両端部において連結可能な連結部を備え、少なくとも基板を左右方向に配置自在に位置決めして保持する位置決め保持部材とにより構成したことを特徴とする請求項１に記載の表示装置。
【請求項３】
前記位置決め保持部材は、表示パネルの背面側において該表示パネルとの間で間隙を設けて配置し、１対のパネル補強部材に対して直交をなして該パネル補強部材に夫々取り付け、基板の上下端部を支持するよう該基板の上下幅の間隔で略平行に配設する横長１対の基板支持体であり、該基板支持体には該基板をねじ止めするための基板取り付け用ねじ孔を複数個設けたことを特徴とする請求項２に記載の表示装置。
【請求項４】
前記基板保持部材は、表示パネルの背面側において該表示パネルとの間で間隙を設けて配置し、１対のパネル補強部材に対して直交をなして該位置決め保持部材の端部を該１対のパネル補強部材に夫々取り付け、基板の上下端部が摺動自在に係合可能となる間隔で略平行に配設する横長１対のガイドレール体であり、該１対のガイドレール体に摺動自在に係合する該基板を位置決めした位置に係止するための係止部材を設けたことを特徴とする請求項２に記載の表示装置。
【請求項５】
位置決め保持部材とパネル補強部材との連結部において、該パネル補強部材に対して該位置決め保持部材の位置を上下方向に調整可能な上下位置調整手段を備えたことを特徴とする請求項２乃至請求項４の何れか１つに記載の表示装置。
【請求項６】
前記上下位置調整手段は、パネル補強部材の延出方向に間隔を設けて形成する上下位置調整用ねじ孔と、位置決め保持部材の両端部で該上下位置調整用ねじ孔と一致する貫通孔と、該位置決め用保持部材を所定の位置で該貫通孔を介して該上下位置調整用ねじ孔に螺合するねじとにより構成したことを特徴とする請求項５に記載の表示装置。
【請求項７】
表示パネルに対して基板を上下左右方向の少なくとも何れか一方向に傾斜して配置するための基板傾斜手段を備えたことを特徴とする請求項１乃至請求項６の何れか１つに記載の表示装置。
【発明の詳細な説明】
【技術分野】
【０００１】
本発明は、筐体の前面側に表示パネルを備えた表示装置に関し、詳しくは、前記表示パネルの背面側に少なくとも変圧器を搭載した基板を配置する薄型の表示装置における前記基板の取り付け構造に関する。
【背景技術】
【０００２】
一般に、薄型の表示装置として液晶テレビやプラズマディスプレイ装置等があり、これら表示装置における筐体の前面側には映像を表示するための表示パネルを配置している。この表示パネルは、同じく映像を表示する陰極線管と比較してその奥行き寸法が極めて小さく、その結果、表示パネルを備えた表示装置の薄型化を実現している。そして、表示装置の薄型化に伴い省スペースでの設置が可能なことから、近年では大画面の表示パネルを備えた前記表示装置の需要が増加する傾向にある。
【０００３】
一方、前記表示パネルの背面側には複数の部品が取り付けてある。即ち、映像や音声等の信号を入出力するための基板や前記信号を制御／処理するための回路基板、表示パネルに映像を表示するための駆動回路基板等のいわゆる電子回路基板に加え、装置給電用の電源基板が取り付けてある。そして、これら各種基板を配置する箇所については、表示装置を開発／設計する段階で決められることとなり、例えば、外観が同じ表示装置であっても、機能や仕様等が異なる場合には部品の取り付け位置が異なることが多い。
【０００４】
ところで、薄型で表示部の大きい表示装置では電源基板の重量の増加が懸念される。具体的な製品例として、４０インチ以上の大きな表示パネルを備えたプラズマディスプレイ装置に配置する電源基板は、重量のある変圧器や大型のヒートシンク等が取付けられており、前記電源基板の重量は数ｋｇにもなる。そこで、従来では装置全体の重量バランス等を考慮し、表示パネルの背面側中央部に前記電源基板をねじ止めしていた（例えば、特許文献１参照。）。
【０００５】
又、電源基板が前記表示パネルの背面側にねじ止めして固定されることから、その電源ノイズ対策は、従来、前述の電子回路基板側において、前記表示パネルの駆動処理回路等の信号処理のノイズ低減によって行なわれていた（例えば、特許文献２参照。）。
【０００６】
そして、前記信号処理のノイズ低減では十分な効果が得られない場合は、いわゆるシールド等の物理的な不要輻射対策を講じることも行なわれていた。
【０００７】
さらに、薄型の表示装置には一般的に可動式(チルト)のスタンド部を備えた構造のものが多く、前記スタンドに対する表示パネルの傾斜角度を前記表示パネルの大きさや設置場所に応じて調整することによって装置の重心バランスがとれるようにしたものがあった（例えば、特許文献３参照。）。
【特許文献１】特開２００４−２０９９８号公報（［０００１］、［００２２］−［００２８］、図２等）
【特許文献２】特開２０００−１９４３１６号公報（［０００１］、［００２５］−［００３４］、図３等）
【特許文献３】特開平７−５６５１６号公報（要約書、段落［００１３］−［００２２］、図３等）
【発明の開示】
【発明が解決しようとする課題】
【０００８】
上記従来の表示装置においては、実際には部品のばらつき等によって装置毎に電源基板の取り付けの位置や角度と電源ノイズの発生状態とが微妙に異なり、その影響が問題となるが、従来は電源基板が表示パネルの背面側にねじ止めされてその位置等が固定されいることから、電源基板の取り付けの位置や角度を調整して電源ノイズを低減することはできない。
【０００９】
そこで、前述したように電子回路基板等の側で信号処理を工夫したり、シールド等の物理的な不要輻射対策を講じたりする必要が生じるが、これらを装置毎に個別に行なうことは、安価に量産する上からは実用的ではなく、製品の開発期間の超過や部品点数の増加が懸念される。
【００１０】
又、例えば、新規機種の開発、設計等により、外観の形状や表示画面寸法は同じでありながら、仕様や機能の変更等により、部品の増減変更が生じ、重心バランス等の面から、電源基板の取り付け位置をずらしたりする必要が生じると、従来は、その都度、表示パネルの背面側に設ける電源基板を取り付けるためのねじ孔の位置を設計し直す必要があり、前記表示パネルの部分的な変更や或いは前記表示パネルを新たに製作することとなり、結果として製品のコストアップや、製品開発から量産までの期間延長の要因となる。尚、前述の可動式(チルト)のスタンド部を備えて対応することも考えられるが、この場合は、スタンド部が複雑な構造となる分コストアップにつながり、特に表示部の大きい表示装置にあっては、重量等の面からも、そのような可動式のスタンド部を備えることは容易ではなく、一層高価な製品となる。
【００１１】
本発明は、この種の表示装置において、電源ノイズの低減や重量バランスを考慮した少なくとも変圧器を搭載する基板の取り付け位置の調整が容易に行なえるようにすることを目的とする。
【課題を解決するための手段】
【００１２】
上記の目的を達成するために、本発明の表示装置は、筐体の前面側に位置する表示パネルと、該表示パネルの背面側に位置し、少なくとも変圧器を搭載した基板を前記表示パネルと略平行に配置する表示装置において、該表示パネルの背面側で該基板の配置する位置を変更可能に支持する基板支持手段を備えたことを特徴としている（請求項１）。
【００１３】
又、請求項１に記載の表示装置における基板支持手段として、表示パネルの背面側において互いに略平行をなし、該表示パネルに対して略平行となる部分を有し、且つ該表示パネルの上下方向に延出して筐体と連結可能な連結部を備えた縦長１対のパネル補強部材と、該１対のパネル補強部材と両端部において連結可能な連結部を備え、少なくとも基板を左右方向に配置自在に位置決めして保持する位置決め保持部材とにより構成したことを特徴としている（請求項２）。
【００１４】
さらに、請求項２に記載の表示装置における位置決め保持部材として、表示パネルの背面側において該表示パネルとの間で間隙を設けて配置し、１対のパネル補強部材に対して直行をなして該パネル補強部材に夫々取り付け、基板の上下端部を支持するよう該基板の上下幅の間隔で略平行に配置する横長１対の基板支持体であり、該基板支持体には該基板をねじ止めするための基板取り付け用ねじ孔を複数個設けたことを特徴としている（請求項３）。
【００１５】
そして、請求項２に記載の表示装置における位置決め保持部材の別形状として、表示パネルの背面側において略表示パネルとの間で間隙を設けて配置し、１対のパネル補強部材に対して直交をなして該位置決め保持部材の端部を該１対のパネル補強部材に夫々取り付け、基板の上下端部が摺動自在に係合可能となる間隔で略平行に配設する横長１対のガイドレール体であり、該１対のガイドレール体に摺動自在に係合する該基板を位置決めした位置に係止するための係止部材を設けたことを特徴としている（請求項４）。
【００１６】
加えて、請求項２乃至請求項４の何れか１つに記載の表示装置における位置決め保持部材とパネル補強部材との連結部として、該パネル補強部材に対して該位置決め保持部材の位置を上下方向に調整可能な上下位置調整手段を備えたことを特徴としている（請求項５）。
【００１７】
また、請求項５に記載の表示装置における上下位置調整手段として、パネル補強部材の延出方向に上下方向に間隔を設けて形成する上下位置調整用ねじ孔と、位置決め保持部材の両端部で該上下位置調整用ねじ孔と一致する貫通孔と、該位置決め用保持部材を所定の位置で該貫通孔を介して該上下位置調整用ねじ孔に螺合するねじとにより構成したことを特徴としている（請求項６）。
【００１８】
そして、請求項１乃至請求項６の何れか１つに記載の表示装置は、表示パネルに対して基板を上下左右方向の少なくとも何れか一方向に傾斜して配置するための基板傾斜手段を備えたことを特徴としている（請求項７）。
【発明の効果】
【００１９】
まず、請求項１の発明によれば、少なくとも変圧器を搭載した基板を従来のように表示パネルの背面側にねじ止めするのではなく、基板支持手段を介して該表示パネルの背面側における該基板の配置する位置を変更可能としているため、例えば電源基板の場合であれば、電源ノイズの低減や重量バランスを考慮した該電源基板の取り付け位置の個別の調整が容易に行なえる。
【００２０】
そのため、従来装置のような電子回路基板等の側で信号処理の工夫や、シールド等の物理的な不要輻射対策を講じたりする前に、電源基板等の基板の取り付け位置を個別に調整して電源ノイズを間単に低減することができ、また、仕様や機能の変更等により、基板の取り付け位置をずらしたりする必要が生じたときにも、前記従来のように基板取り付けのねじ孔の位置を設計し直して表示パネルを新たに製作等したり、可動式のスタンド部を備えたりすることなく、容易かつ安価、迅速に対応することができる。
【００２１】
また、請求項２の発明によれば、基板支持手段を、表示パネルの背面側において互いに略平行をなし、該表示パネルに対して略平行となる部分を有し、且つ該表示パネルの上下方向に延出して筐体と連結可能な連結部を備えた縦長の１対のパネル補強部材と、該１対のパネル補強部材と両端部において連結可能な連結部を備え、少なくとも基板を左右方向に配置自在に位置決めして保持する位置決め保持部材とにより構成するものであり、該表示パネルの背面側において、電源ノイズの低減や重量バランスを考慮して基板の取り付け位置の左右方向の個別の調整等が簡単かつ容易に行なえ、請求項１と同様の効果が得られる。
【００２２】
さらに、請求項３の発明によれば、位置決め保持部材を、表示パネルの背面側において該表示パネルとの間で間隙を設けて配置し、１対のパネル補強部材に対して直交をなして該パネル補強部材に夫々取り付け、基板の上下端部を支持するよう該基板の上下幅の間隔で略平行に配置する横長の１対の基板支持体であり、該基板支持体には該基板をねじ止めするための基板取り付け用ねじ孔を複数個設けたものであり、表示パネルの背面側において上下方向に設置されたパネル補強部材に連設する左右方向に配置された基板支持体に対して、左右方向の所望の位置に基板をねじ止めすればよく、一層簡単かつ安価で実用的なねじ止め構造の位置決め保持部材により、請求項２と同様の効果が得られる。
【００２３】
また、請求項４の発明によれば、位置決め保持部材を、表示パネルの背面側において該表示パネルとの間で間隙を設けて配置し、１対のパネル補強部材に対して直交をなして該パネル補強部材に夫々取り付け、基板の上下端部が摺動自在に係合可能となる間隔で略平行に配置する横長１対のガイドレール体であり、該１対のガイドレール体に摺動自在に係合する該基板を位置決めした位置に係止するための係止部材を設けたものであり、略平行な横桟状に取り付けられたガイドレール体に左右方向へと移動可能に基板が取り付けられ、係止部材によって所望の位置に基板を係止できるため、前記のねじ止め構造の場合より、基板の左右方向の位置をより簡単に精度よく調整することができる利点がある。
【００２４】
加えて、請求項５の発明によれば、位置決め保持部材とパネル補強部材との連結部において、該パネル補強部材に対して該位置決め保持部材の位置を上下方向に調整可能な上下位置調整手段を備えたものであり、該上下位置調整手段により、パネル補強部材に対する位置決め保持部材の取り付け位置を上下方向に調整することが可能となり、該位置決め保持部材に取り付けられる基板の上下方向への取り付け位置の調整が可能となることを意味する。
【００２５】
また、請求項６の発明によれば、上下位置調整手段を、パネル補強部材の延出方向に間隔を設けて形成する上下位置調整用ねじ孔と、位置決め保持部材の両端部で該上下位置調整用ねじ孔と一致する貫通孔と、該位置決め用保持部材を所定の位置で該貫通孔を介して該上下位置調整用ねじ孔に螺合するねじとにより構成したものであり、安価なねじ止め構造で位置決め保持部材に取り付けられた基板の上下方向の取り付け位置の調整を実現できる。
【００２６】
そして、請求項７の発明によれば、表示部に対して基板を上下左右方向の少なくとも何れか一方向に傾斜して配置するための基板傾斜手段を備えたものであり、表示パネルの背面側に対する電源基板の上下左右方向の取り付け角度（傾き）の調整も可能になる利点がある。
【発明を実施するための最良の形態】
【００２７】
つぎに、本発明をより詳細に説明するため、その実施形態について、図１〜図１１にしたがって詳述する。尚、本実施例では薄型で大型の表示パネルを備えたプラズマディスプレイ装置（以下、ＰＤＰ装置と称す）を具体的な製品として以下の説明を続けるが、本発明を限定するものではないことを言及する。
【００２８】
（一実施形態）
まず、一実施形態について、図１〜図８を参照して説明する。
【００２９】
図１はＰＤＰ装置の外観形状を示しており、図１（ａ）はＰＤＰ装置の外観形状を示す正面図であり、図１（ｂ）はＰＤＰ装置の外観形状を示す斜視図である。図２はＰＤＰ装置の平面側断面図を示しており、図３はＰＤＰ装置のスタンド部を除去した側面側断面図を示している。
【００３０】
図４は図３における２点破線Ａの拡大図を示しており、図５はＰＤＰ装置のバックキャビネットを取り外した状態の背面図を示している。又、図６は図５における２点破線Ｂの拡大図を示しており、図７は図５における電源基板の位置を変更した状態の背面図を示している。さらに、図８はＰＤＰ装置にハードディスクドライブ（以下、ＨＤＤと称す）を内蔵した場合の背面図を示している。
【００３１】
そして、図１〜図３に示すように、本実施形態のＰＤＰ装置１はフロントキャビネット１ａとバックキャビネット１ｂとによって厚み（奥行き）の薄い筐体１ａｂが形成され、この筐体１ａｂは下部にスタンド部１ｃが取り付けられている。
【００３２】
又、図５に示すように、筐体１ａｂ内において、フロントキャビネット１ａの中央部に表示パネル２が位置し、その左右にスピーカ３、３が取り付けられている。尚、前記表示パネル２は、フロントキャビネット１ａより露出する表示画面と、該表示画面の背面側には締結部分や支持部分を複数形成したカバー部材とを備えており、さらに複数の電子部材の組み合わせにより構成されているが、本実施例の説明においてはこれら複数の部材により構成されたものを単に表示パネル２と称する。
【００３３】
前記表示パネル２の背面側には、図５〜図８に示すように、映像、音声等の入出力基板や処理回路基板、表示画面の駆動回路基板等の各種の電子回路基板（いわゆるＳＵＳ基板も含む）等が取り付けられており、該表示パネル２は、周囲に設けた締結部材を介し、フロントキャビネット１ａに対してねじによって固定されている。
【００３４】
このとき、一般的なＰＤＰ装置と同様、重量バランス等を考慮して表示パネル２の背面側のほぼ中央部は、後述の電源基板の取り付け位置に予定され、その左、右及び下部に比較的軽量な前記の電子回路基板等が取り付けられる。
【００３５】
そして、図中の５ａ、５ｂ、５ｃが表示パネル２の背面側にねじ止めされた電子回路基板であり、例えば下部の回路基板５ｃは映像、音声等の入出力基板である。また、図８においては、仕様、機能の変更等により追加されたＨＤＤ６が、表示パネル２の背面側における上部右側の空きスペースを利用してねじ止めによって取り付けられている。
【００３６】
又、表示パネル２の背面側には、前記表示パネル２との間で間隔を有する縦長１対のパネル補強部材７ａ、７ｂが互いに間隔を設けて上下方向にほぼ平行に設置してある。
【００３７】
両パネル補強部材７ａ、７ｂは同形状であって、本実施形態においてはアルミ等の金属板体からなり、図３および図４等にて示すように、それぞれバックキャビネット１ｂの形状に合わせて折曲加工され、中央部が表示パネル２に平行な平坦部αに形成され、前記平坦部αの上下端が前記表示パネル２に植設された支持部材８にねじ止めされて前記表示装置２を補強し支持するように取り付けられる。
【００３８】
前記パネル補強部材７ａ、７ｂが取り付けられることにより、ＰＤＰ装置１を床面に設置する場合や壁掛けする場合の筐体１ａｂ（筐体）の撓みや捩れ等に対しての表示パネル２の補強が図られる。
【００３９】
また、両パネル補強部材７ａ、７ｂは、それぞれの平坦部αの適当な複数の位置に背面側に突出したバックキャビネット１ｂの係止ガイド９が設けられ、これらの係止ガイド９にバックキャビネット１ｂがねじ止め等で着脱自在に係止される。
【００４０】
つぎに、本実施形態においては、重量のある変圧器や大型のヒートシンク等が搭載された装置給電用の電源基板１０を表示パネル２の背面側にねじ止めするのではなく、つぎに説明するようにして前記表示パネル２のほぼ中央部の上部、換言すれば、パネル補強部材７ａ、７ｂ間の電源基板１０の取り付け予定範囲内において、該電源基板１０の配置する位置を変更自在に取り付ける。
【００４１】
まず、両パネル補強部材７ａ、７ｂ間に横長１対の基板支持体１１ａ、１１ｂを電源基板１０の上下幅とほぼ同じ間隔で左右方向に平行に配設し、前記両基板支持体１１ａ、１１ｂの左右端部を両パネル補強部材７ａ、７ｂの平坦部αにねじ止めして取り付ける。
【００４２】
このとき図５〜図８等にて示すように、両パネル補強部材７ａ、７ｂの平坦部αには、基板支持体１１ａ，１１ｂの上下位置調整手段として、複数個の上下位置調整用ねじ孔１２、１２、・・がほほ等間隔に形成され、電源基板１０の取り付け位置を例えばＰＤＰ装置１の背面視において表示パネル２の左上にするとき（前記ＰＤＰ装置１の正面視において表示パネル２の右上に配置するとき）は、図５、図６にて示すように、両パネル補強部材７ａ、７ｂそれぞれの上側の２個の上下位置調整用ねじ孔１２、１２、・・に前記両基板支持体１１ａ、１１ｂの左右端部がねじ止めされて取り付けられ、電源基板１０の取り付け位置を表示パネル２の左下或いは右下にするときは、図７、図８にて示すように、両パネル補強部材７ａ、７ｂそれぞれの下側の２個の上下位置調整用ねじ孔１２、１２、・・に両基板支持体１１ａ、１１ｂの左右端部がねじ止めされて取り付けられる。このようにして、前記両パネル補強部材７ａ、７ｂに対する前記両基板支持部材１１ａ、１１ｂの取り付け位置が上下方向にて調整可能となる。
【００４３】
また、両基板支持体１１ａ、１１ｂは同形状であって、この実施形態においてはアルミ等の金属板体からなり、図２から明らかなように、左右端部が両基板支持体１１ａ、１１ｂの平坦部αにねじ止めされて取り付けられ、左右端部のねじ止めの位置より中央寄りの位置で表示パネル２の背面側に接近するように下方に折曲されて中央部βが前記表示パネル２に近接した状態でほぼ平行になる。
【００４４】
さらに、両基板支持体１１ａ、１１ｂの各中央部βには左右方向に間隔を設けて複数個の基板取り付け用ねじ孔１３、１３、・・が形成してあり、電源基板１０の四隅の貫通孔を通った各ねじ（ボルト）が、前記両基板支持体１１ａ、１１ｂの所望の位置に対応する前記基板取り付け用ねじ孔１３、１３、・・と螺合して締結され、このようにして前記電源基板１０を前記両基板支持体１１ａ、１１ｂの中央部βの範囲内において左右方向に配置自在に取り付けて支持することが可能となる。
【００４５】
尚、前記基板支持体１１ａ、１１ｂと前記基板取り付け用ねじ孔１３、１３、・・とが請求項２の位置決め保持部材に該当し、この位置決め保持部材とパネル補強部材７ａ、７ｂとが請求項１の基板支持手段に該当する。
【００４６】
そして、パネル補強部材７ａ、７ｂに直交配置された基板支持体１１ａ、１１ｂの上下方向の取り付け位置、及び前記基板支持体１１ａ、１１ｂへの電源基板１０の左右方向の取り付け位置を調整することにより、前記両パネル補強部材７ａ、７ｂ間の電源基板取り付け位置において、前記電源基板１０を、図５、図６にて示すように表示パネル２の背面側近傍にて左上の位置に配置したり、図７、図８のように右下、或いは左下の位置に配置したりすることができ、簡単かつ安価なねじ止めの構成により、前記電源基板１０を、左右方向だけでなく上下方向にも配置自在に取り付け支持することが可能となる。
【００４７】
そのため、装置内における他の各回路基板と電源基板１０で使用されている変圧器、ＩＣ等の各種部品との相互関係や、部品性能が装置毎にばらつき、特定の基板や部品（例えば、受信チューナや信号系ＩＣ等）と電源基板１０とが接近すると、前記電源基板１０から放射される電磁波(高周波ノイズ)の影響によって、表示パネル２の表示画面上に電源ノイズが発生したりするような場合に、前記電磁波の影響を一番受けやすい基板と前記電源基板１０とが極力離れた位置になるように取り付け位置を調整し、電源ノイズの低減を図ることができる。また、重量バランスを考慮した前記電源基板の取り付け位置の個別の調整も容易に行なうことができる。
【００４８】
したがって、従来の表示装置のような電子回路基板等の側で信号処理の工夫や、シールド等の物理的な不要輻射対策を講じたりする前に、電源基板１０の取り付け位置を個別に調整して電源ノイズを間単に低減することができ、また、仕様や機能の変更等により、電源基板の取り付け位置をずらしたりする必要が生じたときにも、前記従来のように電源基板取り付けのねじ孔の位置を設計し直して表示パネルを新たに製作等したり、可動式のスタンド部を備えたりすることなく、容易かつ安価、迅速に対応することができる。
【００４９】
なお、図８はＨＤＤ６を追加する仕様変更に対して、電源基板１０を例えば図５の左上の配置から左下の配置に変更することで、表示パネル２を新たに製作等したりすることなく、前記ＨＤＤ６が前記電源基板１０より発生する電源ノイズの影響を受けないよう離間配置することが可能であることの一例を示している。
【００５０】
ところで、基板支持体１１ａ、１１ｂに電源基板１０を取り付ける際に、図４に示すように、基板傾斜手段としての適当な長さのカラー１４を上側の基板支持体１１ａと電源基板１０との間、又は、下側の基板支持体１１ｂと電源基板１０との間に介在させ、表示パネル２の背面に対して前記電源基板１０の上下方向の取り付け角度（傾き）を調整したり、同様のカラーを上、下の基板支持体１１ａ、１１ｂと電源基板１０の左側又は右側との間に介在させ、表示パネル２の背面に対して前記電源基板１０の左右方向の取り付け角度を調整したりするようにしてもよく、このようにすると、前記カラー１４等で前記電源基板１０の取り付け角度を変えることによっても電源基板１０の変圧器の発生磁束の影響等を調整し、電源ノイズの低減を一層精度よく行なうことができる。
【００５１】
なお、本発明においては、少なくとも基板支持体１１ａ、１１ｂと基板取り付け用ねじ孔１３、１３、・・との位置決め保持部材のみを設け、電源基板１０の左右方向の配置を調整できるようにするのみでもよいのは勿論である。
（他の実施形態）
つぎに、他の実施形態について、図９〜図１１を参照して説明する。
【００５２】
この実施形態においては、前記の位置決め保持部材として、前述した一実施形態の基板支持体１１ａ、１１ｂと基板取り付け用ねじ孔１３、１３、・・とに代えて、１対のガイドレール体１５ａ、１５ｂと係止部材１６、１６、・・とを備える。
【００５３】
図９はパネル補強部材に設置したガイドレール体に基板を取り付けた状態を示す斜視図であり、図１０は図９における基板の取り付け位置を拡大して示す部分拡大斜視図である。又、図１１は係止部材のロック解除状態を示す側面側断面図である。尚、図９、図１０におて、パネル補強部材７ａ、７ｂの上下位置調整用ねじ孔１２、１２・・等は省略している。そして、ガイドレール体１５ａ、１５ｂは、ほぼ基板支持体１１ａ、１１ｂから基板取り付け用ねじ孔１３、１３、・・を省いた形状であり、前記基板支持体１１ａ、１１ｂと同様、左右端部がパネル補強部材７ａ、７ｂの任意の位置にねじ止めされて平行な横桟状に取り付けられ、表示パネル（図示せず）の背面側にほぼ電源基板１０の上下の幅の間隔で左右方向に平行に配設されている。
【００５４】
また、係止部材１６、１６、・・は電源基板１０の四隅部にそれぞれねじ止め等されて取り付けてあり、このとき、図１１に示すように、前記各係止部材１６の係合部１６ａがガイドレール体１５ａ、１５ｂに摺動自在に係合している。
【００５５】
そのため、前記電源基板１０は表示パネルの背面側に設置されるパネル補強部材７ａ、７ｂ間において、ガイドレール体１５ａ、１５ｂに沿って左右方向に摺動自在に移動することができる。
【００５６】
さらに、前記電源基板１０が所望の位置に移動したとき、各係止部材１６の前部のレバー１６ｂを矢印線ａの方向に回動すると、ピストン状の弾性のあるストッパ部材１６ｃが矢印線ｂの方向に押されてガイドレール体１５ａ、１５ｂを前記係合部１６ａの内壁に押し付け、前記電源基板１０をその位置に固定（ロック）する。
【００５７】
したがって、この実施形態の場合は、前述した一実施形態のねじ止め構造の場合より、電源基板１０の左右方向の位置をより簡単に精度よく調整することができる利点がある。
【００５８】
尚、レバー１６ｂ及びストッパ部材１６ｃを有する係止部材１６は電源基板１０の対角位置の２隅に取り付け、残りの２隅には前記係止部材１６からレバー１６ｂ及びストッパ部材１６ｃを省いた構造の安価な摺動支持部材を取り付けるようにしてもよい。
【００５９】
又、上下位置調整手段としての前記のパネル補強部材７ａ、７ｂの上下位置調整用ねじ孔１２にガイドレール体１５ａ、１５ｂを選択的にねじ止めすることにより、ガイドレール体１５ａ、１５ｂのパネル補強部材７ａ、７ｂへの取り付け位置を上下方向に調整し、電源基板１０の上下方向の取り付け位置の調整が行なえるのは勿論である。
【００６０】
さらに、例えば図４にて示すカラー１４のような基板傾斜手段をさらに備えると、表示パネルの背面に対する電源基板１０の上下左右方向の取り付け角度（傾き）の調整も行なえる。
【００６１】
そして、本発明は上記した実施形態に限定されるものではなく、その趣旨を逸脱しない範囲において上述したもの以外に種々の変形実施を行うことが可能であり、例えば、請求項１の基板支持手段は、表示パネルの背面側において、電源基板の配置を左右上下方向のいずれか一方向に一次元的に調整できる種々の構造であってよく、さらに、電源基板の配置を、左右上下方向の二次元的に調整できる種々の構造であってよいのは勿論である。
【００６２】
また、上下位置調整手段が、前述の係止部材等を用いて形成されることにより、パネル補強部材への取り付け位置を摺動自在に調整できる構造であってもよいのも勿論である。
【００６３】
さらに、電源基板が種々の形状、大きさのものであってよいのは勿論である。
【００６４】
そして、本発明はＰＤＰ装置に限定するものではなく、液晶テレビ等の薄型の表示パネルをした電子機器全般に適用可能なことは勿論である。
【図面の簡単な説明】
【００６５】
【図１】本発明の一実施形態を適用したＰＤＰ装置の外観形状を示しており、（ａ）はＰＤＰ装置の外観形状を示す正面図であり、（ｂ）はＰＤＰ装置の外観形状を示す斜視図である。
【図２】本発明の一実施形態を示すＰＤＰ装置の平面側断面図である。
【図３】本発明の一実施形態においてスタンド部を取り外した状態を示すＰＤＰ装置の側面側断面図である。
【図４】図３における２点破線Ａの拡大図である。
【図５】本発明の一実施形態においてバックキャビネットを取り外した状態を示すＰＤＰ装置のの背面図である。
【図６】図５における２点破線Ｂの拡大図である。
【図７】図５における電源基板の取り付け位置を変更した状態を示すＰＤＰ装置の背面図である。
【図８】図７の構成にＨＤＤを追加した状態を示すＰＤＰ装置の背面図である。
【図９】本発明の他の実施形態における要部の形状を示す斜視図である。
【図１０】図９における電源基板の取り付け位置近傍を示す部分拡大斜視図である。
【図１１】本発明の他の実施形態における係止部材のロック解除状態を示す側面側断面図である。
【符号の説明】
【００６６】
１    ＰＤＰ装置（プラズマディスプレイ装置）
１ａｂ    筐体
２    表示パネル
７ａ、７ｂ    パネル補強部材
１０    電源基板
１１ａ、１１ｂ    基板支持体
１２    上下位置調整用ねじ孔
１３    基板取り付け用ねじ孔
１４    カラー
１５ａ、１５ｂ    ガイドレール体
１６    係止部材
【図１】
2007065302.tif 000003
【図２】
2007065302.tif 000004
【図３】
2007065302.tif 000005
【図４】
2007065302.tif 000006
【図５】
2007065302.tif 000007
【図６】
2007065302.tif 000008
【図７】
2007065302.tif 000009
【図８】
2007065302.tif 000010
【図９】
2007065302.tif 000011
【図１０】
2007065302.tif 000012
【図１１】
2007065302.tif 000013